(57)【要約】【課題】ビデオカメラで撮影した映像データをＴＶのＨＤＤにアーカイブすることにより、撮影した映像を手軽に楽しむことができるようにする。【解決手段】ビデオカメラと、ビデオカメラを搭載し、ビデオカメラの映像データが転送されるクレードル装置と、クレードル装置から映像データとその映像データに関連する情報を転送されるＨＤＤ付きテレビジョン受信装置とを備えるシステム構成とする。そして、クレードル装置では、ビデオカメラから送られてくる映像データとその映像データに関連する情報を、テレビジョン受信装置に送信する。テレビジョン受信装置では、転送されてきた映像データと映像データに関連する情報に基づき、ダイジェスト映像を生成して、ＨＤＤにアーカイブして、ユーザがそのダイジェスト映像を閲覧できるようにする。【選択図】図９
2010206624.tif 000002
【特許請求の範囲】
【請求項１】
映像を撮影するビデオカメラと、
前記ビデオカメラを搭載し、前記ビデオカメラの映像データが転送されて、外部の機器に出力するクレードル装置と、
記憶装置を有し、前記クレードル装置から映像データとその映像データに関連する情報を転送されるテレビジョン受信装置とを備える映像の保管管理システムにおいて、
前記テレビジョン受信装置は、前記映像データと前記映像データに関連する情報とに基づき、ダイジェスト映像を生成し、前記ダイジェスト映像を前記記憶装置に記憶して、表示することを特徴とする映像の保管管理システム。
【請求項２】
前記映像に関する情報は、項目ごとに前記映像データのストリーム位置をポイントするアドレスを含む映像情報関連テーブルであって、
前記クレードル装置は、前記映像情報関連テーブルと、項目ごとにポイントされた映像データの必要な部分を前記テレビジョン受信装置に転送することを特徴とする請求項１記載の映像の保管管理システム。
【請求項３】
前記映像情報関連テーブルの項目は、特定の人の顔の存在、特定の人の声の存在、映像の内容を表す情報、映像内の人の年齢、映像内の人の人数、撮影した場所、撮影された日時、撮影時の天気であることを特徴とした請求項２記載の映像の保管管理システム。
【請求項４】
前記テレビジョン受信装置は、前記データ編集部を有し、
前記データ編集装置により、前記クレードルから転送された前記映像データと前記映像情報関連テーブルとを解析して、前記ダイジェスト映像を編集することを特徴とする請求項１記載の映像の保管管理システム。
【請求項５】
前記テレビジョン受信装置は、さらに、前記記憶装置に保持された前記映像データの内容を認識する認識処理部を有し、
前記認識処理部が前記映像データに関する認識処理をすることにより、新たに映像に関する情報を抽出し、
前記データ編集部は、前記映像データと前記新たに映像に関する情報とに基づき、前記ダイジェスト映像を編集することを特徴とする請求項４記載の映像の保管管理システム。
【請求項６】
前記テレビジョン受信装置は、さらに、前記記憶装置の記憶容量を検知する残量管理部を有し、
前記残量管理部が、前記記憶装置の記憶容量の空き容量の不足を検知したときに、ユーザに対して、前記記憶装置に格納された映像のダイジェスト映像の作成を促す表示や前記記憶装置に格納された他の記録媒体への移動を促す表示をおこなうことを特徴とする請求項１記載の映像の保管管理システム。
【請求項７】
前記テレビジョン受信装置のナビゲーション画面は、テレビジョン放送に関する操作をおこなう画面と、前記ダイジェスト映像に関する操作をおこなう画面とを有し、各々の画面に付加されたタブの選択により画面の表示の遷移をおこない、
前記ダイジェスト映像に関する操作のタブは、映像の内容に従ってカテゴリ分けされていることを特徴とする請求項１記載の映像の保管管理システム。
【請求項８】
前記テレビジョン受信装置は、さらに、光ディスク装置が接続され、
前記ダイジェスト映像を指定することにより、そのダイジェスト映像の元になるオリジナルの映像を、前記光ディスク装置に搭載された光ディスクに記憶された映像データから再生することを特徴とする請求項１記載の映像の保管管理システム。
【発明の詳細な説明】
【技術分野】
【０００１】
本発明は、映像の保管管理システムに係り、ビデオカメラで撮影した映像を、テレビジョン装置上で、ダイジェスト映像を作成するのに好適な映像の保管管理システムに関する。
【背景技術】
【０００２】
昨今、ビデオカメラの市場では、映像を記録する手段として、ＢＤ（Blu-ray Disc）やＨＤＤ（Hard Disc Drive）をはじめ、ＳＤカードやメモリスティックなど半導体メモリを媒体とした製品が発売されており、さらにそれぞれを組み合わせたようなハイブリッドタイプなども登場してきている。しかしながら、撮影をしたあとの映像の管理という意味では、ＨＤＤに溜め込んだり（アーカイブしたり）、ディスクに残すこと以外の方法は、特に提供されていないのが現状である。
【０００３】
さらに、ビデオカメラで撮影した映像は、たいていの場合、一度見るとなかなか観る機会が少なくなる傾向にある。記録容量が大きくなればなるほど、この傾向は強くなってくる。例えば、子どもの運動会や学芸会など、一度は見るが、そのままでは、よほどの機会が無い限り、再度観ることはないのが現状であろう。そのような事態を回避するためには、撮影した映像を編集して見やすいコンテンツに作り直せばよい。例えば、子どもの成長記として映像を再編集することが考えられる。編集に関しては、ビデオカメラ本体で編集機能を搭載しているものがあるが、単体で、あまり高機能なものや昔撮影したデータも含めて編集するというようなことはできない。また、パーソナルコンピュータ（以下、「ＰＣ」と記す）に映像データを取り込んで編集をおこなうことも可能だが、必要なＨＤＤの容量不足の問題や、あまり凝った編集などはできないことが多く、特に問題なのは、これらの方法は、あまりＡＶ家電に慣れていない人には敷居が高い方法であるといえる。そのため、編集作業をおこないたくてもなかなか実現できず、結果的に、ＰＣ上のＨＤＤやディスクにアーカイブするだけで、後は観ないというのがほとんどである。特許文献１には、このようなアーカイブの手間を軽減するために、ドッキングユニットを介して別のストレージにデータを転送するシステムが開示されている。さらに、画像の再生に関しては、特許文献２に、子どもの成長記などを作成するときに、顔を検出して古い順番に再生するようにして、画像の再生のユーザインタフェースを工夫した装置が開示されている。
【０００４】
一方で、ＨＤＤを搭載したテレビジョン装置（以下、「ＴＶ」と記す）が発売されており、レコーダを接続しなくてもＴＶ単体で映像を楽しむ事が可能となる。ＴＶの特徴として、日常の生活の中でＴＶをつけている時間は比較的多いと考える。また、好きなＴＶ番組、例えば毎日ドラマなどを録画予約している場合には、記録した番組のナビゲーション画面（一般的にはサムネール表示や番組内容がわかるようなテキスト表示など）を立ち上げる機会が多くなる。毎日は極端としても、週一回程度は、ナビゲーションを立ち上げる人が多いはずである。すなわち、ＴＶは、現在の生活において、日常的に目に入りやすいものであるといえる。
【先行技術文献】
【特許文献】
【０００５】
【特許文献１】特開２００４−３２６９０号公報
【特許文献２】特開２００８−７７４４５号公報
【発明の概要】
【発明が解決しようとする課題】
【０００６】
上記説明したように、せっかく撮影した映像データも、そのままでは１度きりしか楽しむことができない場合が多い。今後、記憶容量は、ますます大容量化していくと思われるが、そうなると、映像の検索性も悪くなり、さらにこの傾向は強くなると思われる。なんども映像を楽しませるには、いかに撮影した映像に興味を持たせるかがポイントである。簡単に観ることができ、かつ、もう一度観たいと思うような映像を作成できれば何度も映像を楽しみたいと思うはずである。現状でもＰＣ上で映像を編集することが可能であるが、データの取り込みやソフトウェアを使いこなすことなどの手間がかかり、ＰＣに慣れていない人には、敷居が高いという問題点があった。
【０００７】
ＴＶは、上記のように我々の身近な映像装置であり、ビデオカメラで撮影した映像をアーカイブする手段として利用することが考えられる。しかしながら、従来の技術では、ＴＶ上で簡単に利用価値の高いアーカイブを作成する手段について考慮されてこなかった。
【０００８】
本発明は、上記問題点を解決するためになされたもので、その目的は、ビデオカメラで撮影した映像データをＴＶのＨＤＤにアーカイブすることにより、撮影した映像を手軽に楽しむことができ、さらに、自動で成長記などの映像を作成・編集することにより、いつまでも映像を楽しむことができるような使い勝手の良い映像の保管管理システムを提供することにある。
【課題を解決するための手段】
【０００９】
本発明の保管管理システムは、映像を撮影するビデオカメラと、ビデオカメラを搭載し、ビデオカメラの映像データが転送されて、外部の機器に出力するクレードル装置と、記憶装置を有し、クレードル装置から映像データとその映像データに関連する情報を転送されるテレビジョン受信装置とを備えるシステムで構成する。
【００１０】
クレードル装置では、ビデオカメラを搭載したときに、ビデオカメラから送られてくる映像データとその関連情報から映像情報関連テーブルを作成する。そして、テレビジョン受信装置に送信する。例えば、ビデオカメラで顔認識技術により「ゆりこ」の登場する映像を抽出して、映像情報関連テーブルで関連する映像のシーンを含む映像データをポイントさせておき、その映像データと映像情報関連テーブルをテレビジョン受信装置に転送する。
【００１１】
テレビジョン受信装置では、転送されてきた映像データと映像情報関連テーブルに基づき、ダイジェスト映像を生成して、記憶装置にアーカイブして、ユーザがそのダイジェスト映像を閲覧できるようにする。
【００１２】
このように、ビデオカメラで撮影したデータをテレビジョン受信装置のＨＤＤなどの記憶装置にアーカイブすることにより、テレビジョン受信装置内部の編集手段により、映像と同時に転送された様々な情報に基づいて、映像データを意味のある順番に並び替えたり、時間軸に並べ替えたり、データのサイズを小さくするような編集が可能となり、例えば、子供の成長記などの編集を自動で、または、マニュアルで指定しておこなうことが可能となる。そのため、ユーザは、ビデオカメラで撮影した映像をテレビジョン受信装置で気軽に楽しむことができる。
【発明の効果】
【００１３】
本発明によれば、ビデオカメラで撮影した映像データをＴＶのＨＤＤにアーカイブすることにより、撮影した映像を手軽に楽しむことができ、さらに、自動で成長記などの映像を作成・編集することにより、いつまでも映像を楽しむことができるような使い勝手の良い映像の保管管理システムを提供することができる。
【図面の簡単な説明】
【００１４】
【図１】クレードル装置の構成を示すブロック図である。
【図２】ＨＤＤ付きＴＶの構成を示すブロック図である。
【図３】ＨＤＤ付きＴＶ内にあるデータ編集部の構成を示すブロック図である。
【図４】本発明の一実施形態に係る映像の保管管理システムのシステム構成図である。
【図５】ＨＤＤ付きＴＶが出力する録画した番組のナビゲーション画面を表示している様子を示す図である。
【図６】ＨＤＤ付きＴＶが出力するダイジェスト映像を閲覧するときのナビゲーション画面を表示している様子を示す図である。
【図７】ＨＤＤ付きＴＶが出力するダイジェスト映像を閲覧するときのナビゲーション画面を表示しているときに、記憶容量に関する警告ダイアローグを表示する様子を示す図である。
【図８】映像情報関連テーブルの一例を示す図である。
【図９】本発明の一実施形態に係る映像の保管管理システムの処理を示すタイミングチャートである。
【発明を実施するための形態】
【００１５】
以下、本発明に係る一実施形態を、図１ないし図９を用いて説明する。
【００１６】
先ず、図４を用いて本発明の一実施形態に係る映像の保管管理システムの構成について説明する。
図４は、本発明の一実施形態に係る映像の保管管理システムのシステム構成図である。
【００１７】
本実施形態の映像の保管管理システムは、図４に示されるように、ＢＤのディスクやＨＤＤ、さらには、ＳＤカードのうち、少なくともひとつに高精細な映像を記録できるビデオカメラとそれ専用のクレードル、および、ＨＤＤ付きＴＶが基本構成である。ビデオカメラ４００は、映像を撮影し、内部の記憶装置に格納する装置である。クレードル装置４０１は、ビデオカメラ４００を載せて専用の端子からビデオカメラ４００に記憶された映像データを取り込み、他の外部装置に転送するための装置である。本実施形態では、クレードル装置４０１は、ＨＤＤ付きＴＶ４１０に無線により接続されてデータを転送している。映像データをビデオカメラ４００からクレードル装置４０１に取り込むときには、前面の転送ボタン４０２を押せばよい。また、映像データをクレードル装置４０１からＨＤＤ付きＴＶ４１０に転送するためには、前面の転送ボタン４０３を押せばよい。ＨＤＤ付きＴＶ４１０は、映像データをＨＤＤに録画して、格納できるテレビジョン受信装置である。映像データを格納するＨＤＤは、内蔵されたＨＤＤ４１１でもよく、脱着式のＨＤＤ４１２、例えば、ｉＶＤＲ（Information Versatile Disk for Removable usage）の規格によるものであってもよい。また、ＢＤ／ＤＶＤドライブ４１３が、ＵＳＢインタフェースにより接続されており、光ディスクの映像データを読み込んだり、光ディスクに映像データを書き込むことができる。
【００１８】
次に、図１ないし図３を用いて本発明の一実施形態に係る映像の保管管理システムの各部の構成について、詳細に説明する。
図１は、クレードル装置の構成を示すブロック図である。
図２は、ＨＤＤ付きＴＶの構成を示すブロック図である。
図３は、ＨＤＤ付きＴＶ内にあるデータ編集部の構成を示すブロック図である。
【００１９】
クレードル装置４０１は、図１に示されるように、操作入力部１００、ＣＰＵ１０１、カメラＩＦ部１０２、映像データ管理部１０３、映像情報管理部１０４、メモリ１０５、転送管理部１０６、転送用ＩＦ部１０７が、バスによって結合された形態である。
【００２０】
操作入力部１００は、ユーザが指示をおこなうためのキー、ボタンにより指示した内容を取り込むための部分である。ＣＰＵ１０１は、装置全体の制御を管理し、タイミングを計り、各部に制御の指示を与える中央演算処理装置である。カメラＩＦ部１０２は、ビデオカメラとのデータのやり取りをおこなうインタフェースを掌る部分である。映像データ管理部１０３は、カメラＩＦ部１０２を介して取り込んだビデオカメラの映像データを管理する部分である。映像情報管理部１０４は、映像に関する情報を管理部分である。なお、映像に関する情報については後に具体例を挙げて詳細に説明する。メモリ１０５は、データなどを格納するための記憶装置であり、半導体のメモリチップなどで構成される。転送管理部１０６は、映像データおよび映像に関する情報のデータを、ＨＤＤ付きＴＶ４１０に転送するためにタイミングなどを管理する部分である。転送用ＩＦ部１０７は、ＨＤＤ付きＴＶに転送するインタフェースを掌る部分である。転送用ＩＦ部１０７は、ハイビジョンクラスの映像データがストレスなく転送できる能力があればよく、無線伝送が可能であれば、特に規格上の制約はない。また、転送用ＩＦ部１０７は、有線のインタフェースによるものであってもよい。
【００２１】
ＨＤＤ付きＴＶ４１０は、図２に示されるように、操作入力部２００、ＣＰＵ２０１、転送用ＩＦ部２０２、ＡＶコーデック部２０３、データ編集部２０４、メモリ２０５、映像音声出力部２０６、チューナー部２０７、ＯＳＤ表示部２０８、ＵＳＢＩＦ部２０９、ＢＤ／ＤＶＤドライブ２１０、ＨＤＤ２２０、ｉＶＤＲカートリッジ２２１が、バスにより接続された形態である。
【００２２】
操作入力部２００は、選局や音量調整などをおこなうためのボタンなどのユーザが操作をした内容を取り込む部分である。ＣＰＵ２０１は、装置全体の制御を管理し、各部に制御の指示を与える中央演算処理装置である。転送用ＩＦ部２０２は、クレードル装置から転送されたデータを取り込むためのインタフェースを掌る部分である。転送用ＩＦ部２０２は、クレードル装置の転送用ＩＦ１０７と対のＩＦとする。ＡＶコーデック部２０３は、Ｈ．２６４やＭＰＥＧ２規格による動画の圧縮伸張や、ＡＡＣやＤｏｌｂｙＤｉｇｉｔａｌ規格などによる圧縮伸張、さらに規格に準拠した多重、分離化などをおこなう部分である。データ編集部２０４は、映像内の情報の管理やダイジェスト映像を生成するための部分である。なお、データ編集部２０４の詳細な構成は、後に説明する。メモリ２０５は、転送された映像データなどを保持しておくための記憶装置であり、半導体のメモリチップなどで構成される。映像音声出力部２０６は、ＴＶのモニタに映像や音声を出力するための部分である。チューナー部２０７は、ＴＶ信号を受信し選局をおこなう部分である。ＯＳＤ表示部２０８は、映像上にサムネール付きのナビ画面を生成するためのデータ生成や表示をおこなう部分である。ＵＳＢＩＦ部２０９は、外部ストレージと、ＵＳＢインタフェースによる接続をおこなう部分である。ＢＤ／ＤＶＤドライブ２１０は、外付けの光ディスクドライブである。ＨＤＤ２２０は、内蔵のハードディスクドライブであり、大容量のデータを記憶することができる。ｉＶＤＲカートリッジ２２１は、ｉＶＤＲ規格によるカートリッジタイプのハードディスクである。
【００２３】
ここでは、このＨＤ付きＴＶ４１０により、通常のＴＶ番組を録画する処理の流れを簡単に説明する。
【００２４】
ユーザにより録画の指示がおこなわれると、操作入力部２００は、チャンネル操作や各種メニューなどにより入力を取り込む。そして、それを受けて、ＣＰＵ２０１が各ブロックに、録画の準備を指示する。チューナー部２０７で受信した映像データは、復調されて、その他必要に応じた変換がおこななわれ、ＡＶストリームとして、メモリに保持される。ＡＶストリームは、ＡＶＣＯＤＥＣ部２０３で伸張され、映像音声出力部２０６、すなわち、モニタやスピーカから出力される。一方で、ＡＶストリームは、ＣＰＵ２０１が指示して、図示していないＡＴＡ（Advanced Technology Attachment）などのＩＦを経由して、ＨＤＤ２２０やｉＶＤＲカートリッジ２２１に記録をおこなう。そして、それらの情報に基づいて、 記録された映像からサムネールが生成されて、ＯＳＤ表示部２０６により、サムネール付きのナビゲション画面（後述、図５）が表示される。上記動作は、ボタン操作でなく、予約録画がおこなわれた場合でも同様である。
【００２５】
ＨＤＤ付きＴＶ内にあるデータ編集部２０４は、図３に示されるように、データ判別部３００、映像情報解析部３０１、認識処理部３０２、メモリ３０３、ダイジェスト映像生成部３１０、残量管理部３２０が、バスにより結合された形態である。
【００２６】
データ判別部３００は、データ編集部内で取り扱うデータの種別を判別する部分である。映像情報解析部３０１は、映像に関する情報に基づき、映像データを解析する部分である。認識処理部３０２は、映像に何が撮影されていたかを認識する部分である。メモリ３０３は、映像や必要なデータをいったん保持しておくための記憶装置である。ダイジェスト映像生成部３１０は、取り込んだ映像からダイジェスト映像を生成する部分である。残量管理部３２０は、ＴＶ内の内蔵ＨＤＤ２２０やｉＶＤＲのカートリッジＨＤＤなどの残量を管理する部分である。
【００２７】
次に、図８を用いて本発明の一実施形態に係るデータ構造について説明する。
図８は、映像情報関連テーブルの一例を示す図である。
【００２８】
映像情報関連テーブルは、映像データから抽出した映像に関する情報を保持し、映像データのストリームとの関係を記憶するテーブルである。
【００２９】
図８に示される映像情報関連テーブルは、映像データからダイジェスト映像を作成するために使われるものである。
【００３０】
本実施形態の例では、家庭内において、「ゆりこ」の成長期のためのダイジェストを作成する場合が示されている。キーワード欄８０１には、キーワードとして「ゆりこ」という文字列が格納される。プロフィール情報欄８０２には、ダイジェスト作成のために必要な情報が格納されている。例えば、生年月日、入学校、趣味などである。年齢欄８０３には、撮影時における「ゆりこ」の年齢が格納される。撮影場所８０４には、撮影した場所が格納される。撮影日時８０５は、当該映像を撮影した日時が格納されている。また、映像データストリームポインタ８０６は、該当する映像データストリームへのポインタが格納される。
【００３１】
次に、図５ないし図７を用いて本発明の一実施形態に係る映像の保管管理システムのＨＤＤ付きＴＶを視聴するときのユーザインタフェースについて説明する。
図５は、ＨＤＤ付きＴＶが出力する録画した番組のナビゲーション画面を表示している様子を示す図である。
図６は、ＨＤＤ付きＴＶが出力するダイジェスト映像を閲覧するときのナビゲーション画面を表示している様子を示す図である。
図７は、ＨＤＤ付きＴＶが出力するダイジェスト映像を閲覧するときのナビゲーション画面を表示しているときに、記憶容量に関する警告ダイアローグを表示する様子を示す図である。
【００３２】
ナビゲーション画面５００は、ユーザにＴＶの録画データやダイジェスト映像などの表示対象に対するナビゲーションをおこなう画面であり、媒体ごとに何が録画されているかがわかるようにつけたタブを、リモコンのボタンなどにより選択することによって、媒体ごとの映像情報にアクセスできるようになっている。ＨＤＤ２２０に格納された映像情報を表示するときには、ＨＤＤタブ５０１を選択し、ｉＶＤＲカートリッジ２２１のＨＤＤに格納された映像情報を表示するときには、ｉＶＤＲタブ５０２を選択する。
【００３３】
バー５１０は、「スポーツ」、「ニュース」、「ドラマ」などのジャンル分けやページを確認するための表示要素である。番組表示５２０には、番組選択のために、番組の画像の一部や内容やその説明などで表示したものであり、番組見出し５２１には、番組のジャンルや番組のタイトルが表示される。
【００３４】
図５に示されたナビゲーション画面の左側のダイジェスト用タブ６３１,６３２を選択すると、図６に示されたダイジェスト映像を閲覧するナビゲシーョン表示に遷移する。ここで、タブ６３０は、「ゆりこさん」を中心に編集されたダイジェスト映像用のタブであり、タブ６４０は、「ひろゆきさん」を中心に編集されたダイジェスト映像用のタブであり、図６では、「ゆりこさん」のダイジェスト映像を閲覧しようとする状況が表示されている。バー６１０には、ダイジェスト映像の内容がわかるように、「ゆりこ成長期」などのタイトルやページ数などが表示されている。ダイジェスト映像６２０には、作成されたダイジェスト映像の一画面が表示される。ダイジェスト映像見出し６２１〜６２３には、映像に関する付加情報が表示される。この例では、映像の対象となっている「ゆりこ」の年齢と撮影場所が示されている。
【００３５】
また、ＨＤＤ付きＴＶ４１０が、ダイジェスト映像を作成しているとき、表示しようとしているときなどに、ＨＤＤ２２０の記憶容量が足りなくなったときには、ダイジェスト化していない映像をダイジェストしたり、バックアップしたりすることを促す警告ダイアローグ７００が表示される。
【００３６】
次に、図９を用いて本発明の一実施形態に係る映像の保管管理システムの処理について説明する。
図９は、本発明の一実施形態に係る映像の保管管理システムの処理を示すタイミングチャートである。
【００３７】
本実施形態では、ユーザが自分の娘である「ゆりこ」、または、自分の息子の「ひろゆき」に関する映像を撮影し、「ゆりこ」や「ひろゆき」の成長記として、ダイジェスト映像を作成する場合を例にとって説明する。
【００３８】
先ず、ユーザがビデオカメラ４００により、「ゆりこ」や「ひろゆき」に関する映像を、成長の過程ごとに、折にふれて撮影する。
【００３９】
ビデオカメラ４００で、撮影した際に、顔認識や音声認識などの技術により映像データを解析した情報やビデオカメラ内に保持している手に入りうる情報により、あとで映像を管理するための映像に関する情報を作成し、カメラ内のメモリに記憶しておく（Ｓ０１,Ｓ０２）。例えば、映像に関する情報としては、顔や音声の認識により検出された自分の娘てある「ゆりこ」の情報、事前に登録しておいた家族が登場している映像の時間軸上の位置情報（フレーム位置など）や「ゆりこ」や「ひろゆき」の年齢、画面上の人数などがある。また、その他の映像に関する情報としては、ビデオカメラ４００にＧＰＳが付いていときに、撮影場所がわかるような位置情報、撮影時間、天気の情報などがある。また、ユーザがビデオカメラ４００から入力ボタンを操作して映像に関する情報を明示的に入力してもよい。
【００４０】
次に、ビデオカメラ４００をクレードル装置４０１に載せる（Ｓ１０）と、ビデオカメラ４００は、撮影した映像データと映像内の情報の転送準備をおこなう。そして、ユーザがクレードル装置４０１上の取り込み専用ボタン４０２を押下する（Ｓ１１）と、図１の操作入力部１００でボタン押下が検出され、その検出信号をＣＰＵ１０１で内容を解析し、カメラＩＦ部１０２を通して、ビデオカメラ４００に転送開始を依頼する。ビデオカメラ側から転送開始の許可がおこなわれたら実際に転送を開始する（Ｓ０３）。ビデオカメラ側の転送の許可がおりる前に、クレードル装置４０１側では、映像データと映像に関する情報をカメラＩＦ部１０２からデータを取り込む準備をおこなう。すなわち、クレードル装置４０１のメモリ１０５を初期化して、データを保持する準備をおこなう。そして、準備が終了し、転送が開始される（Ｓ１２）と、映像データ管理部１０３が、カメラＩＦ１０２から取り込まれた映像データを、メモリ１０５にコピーしていく。
【００４１】
その後、映像情報管理部１０３が、カメラＩＦ１０２から取り込まれた映像データと、映像に関する情報により、図８に示した映像情報関連テーブル８００を作成し（Ｓ１３）、メモリ１０５に保持する。また、映像データと映像に関する情報は、図８に示されるように、映像情報関連テーブル８００により、１レコードを１シーン毎に対応づけられるように管理する。このようなデータ構造を保持することににより、映像情報関連テーブル８００から必要とされる各シーンに関係する映像データのストリームのみを転送するようにしてもよい。
【００４２】
次に、メモリ１０５に保持された映像データと映像情報関連テーブル８００は、ユーザにより、転送ボタン４０３が押下される（Ｓ１３）と、転送管理部１０６を介して、ＨＤＤ付きＴＶ４１０に転送される（Ｓ１４）。転送管理部１０６は、映像情報関連テーブル８００と、映像データを送る際には、映像情報関連テーブル８００によりポイントされる１シーンに関係する映像データのストリームのみを転送するようにしてもよい。
【００４３】
クレードル装置４０１は、転送用ＩＦ部１０７からデータを転送する前に、 ＨＤＤ付きＴＶ４１０に対して、転送の開始を意味した信号を送信しておく、これを受けて、ＨＤＤ付きＴＶ４１０側のＣＰＵ２０１が転送データの取り込みの準備を開始する。準備が完了したら、転送用ＩＦ部２０２から転送用ＩＦ１０７に準備完了の送信をおこない、送信許可を確認後、転送が開始される。転送データは、転送ＩＦ部２０２を経由して、ＨＤＤ付きＴＶ４１０側メモリ２０５に取り込まれて（Ｓ２０）、最終的に、ＨＤＤ２２０またはｉＶＤＲカートリッジ２２１に保持される。このように、ビデオカメラで撮影された映像データと映像に関連する情報が、ＨＤＤ付きＴＶ４１０内のＨＤＤ２２０またはｉＶＤＲカートリッジ２２１に、映像データと映像情報関連テーブル８００という形式で保持される。ただし、使用する領域は、転送中に予約録画を停止させないため、ＴＶ番組の録画に使用する領域とは排他的な領域としておくことが望ましい。
【００４４】
そして、ＨＤＤ付きＴＶ４１０のデータ編集部２０４は、メモリ２０５に保持されている映像データと映像情報関連テーブル８００に基づいて、以下のようにダイジェスト映像の生成をおこなう。
【００４５】
先ず、図３に示したデータ判別部３００が、メモリ２０５に保持されている映像と映像情報関連テーブル８００を判別しながら、必要な分だけ、データ判別部３００内のメモリ３０３に保持する。映像情報解析部３０１は、メモリ３０３に保持された映像情報関連テーブル８００の情報を解析し（Ｓ２１）、シーン内の子どもや登録されている家族の登場しているフレームの情報を取り出し、メモリ３０３に保持されている映像データのストリームからそのフレームの前後数秒分、もしくは子どもや登録した家族が最初に登場したフレームから数十秒のデータを切り出す。そして、ダイジェスト映像生成部３１０が、それらの子どもたちが登場しているシーンを１つのシーンとして再生成する。このようにして生成されるのが、ダイジェスト映像である。例えば、「ゆりこ」と「ひろゆき」という姉弟の二人をＴＶ側に事前に登録しておければ、それぞれのデータの管理やダイジェスト映像を作成することが可能である。また、さらに、認識処理部３０２において、映像情報関連テーブル８００から得られる以外の新たな情報を取得してもよい。例えば、子どもが登場しているシーンから人物以外に動物がいることを検出できれば動物園にいることが予測され、かつ、ＧＰＳの位置情報から場所を特定し、どこの動物園にいるのかを判断することが可能となる。すなわち、ダイジェスト映像を作成する場合に、どこで何をしているかという情報を、ＨＤＤ付きＴＶ内で付加することが可能となる。さらに、その場所の情報をダイジェスト映像の字幕の情報として生成していもよい。字幕のデータをＢＤやＤＶＤの規格に準拠するように生成しておけば、ダイジェスト映像をＢＤやＤＶＤにバックアップしても、他の汎用のプレーヤで字幕を楽しむことも可能となる。本実施形態では、図６に示したダイジェスト映像見出し６２１〜６２３に使用することができる。この認識処理の具体的な指示は、事前に登録したものを認識させてもよいし、ＴＶのメニューからユーザが指定できるようにしてもよい。ただし、その場合には、ダイジェストは、自動生成されるのではなく、ユーザがマニュアルで指示する必要がある。ここで認識を、ＨＤＤ付きＴＶ４１０側でおこなうメリットは、特に、ビデオカメラにてリアルタイム処理をおこなうのが厳しい（処理負荷が大きい）認識処理をＴＶ側でおこなうことにより、ビデオカメラ撮影時の映像内の情報を生成する負荷を軽減できることである。
【００４６】
上記説明した再生成された映像データは、メモリ３０３に、いったん保持する。同様な方法で、シーン毎に再生成されたダイジェスト映像を次々と作成していき（Ｓ２２）、一定の大きさの映像が作成されると、ＨＤＤ２２０またはｉＶＤＲカートリッジ２２１に保存される（Ｓ２３）。生成されたダイジェストシーン群は、年齢ごとにサムネールが表示できるように１つのシーンにまとめておいてからＣＰＵ２０１がＨＤＤ２２０に書き込んでもよい。このタイミングで、ナビーゲション画面用のサムネールデータを生成してもよい。ここでは、年齢別のダイジェスト映像を想定して、その年齢の最初に撮影された先頭フレームをサムネールとする。年齢に関してはビデオカメラ撮影時に、顔認識技術から推定しておいたり、登録しておいたりしておけばよい。
【００４７】
もちろん、書き込みの際には、残量管理部３２０において、ＨＤＤ２２０の残量を確認しておく。また、事前に書き込み先をｉＶＤＲやＢＤ／ＤＶＤドライブに指定しておけば残量に応じて内蔵ＨＤＤ以外の媒体への書き込みをおこなうことも可能である。
【００４８】
さらに、そのダイジェスト映像のバックアップも、ＢＤ／ＤＶＤドライブ４１３やｉＶＤＲカートリッジのような脱着式のＨＤＤ４１２におこなうようにしておけば便利である。
【００４９】
次に、ダイジェスト映像を閲覧する方法について説明する。
【００５０】
ユーザがダイジェスト映像を閲覧するときには、録画した番組のナビゲーション画面を表示している場合には、ダイジェスト映像のタブを選択する。例えば、「ゆりこ」のダイジェスト映像を閲覧するときには、タブ６３０を選択し、「ひろゆき」のダイジェスト映像を閲覧するときには、タブ６４０を選択する。このように、ユーザはタブを選択することで観たい子どものダイジェスト映像を、容易に観ることができる。図６の例は、「ゆりこさん」のダイジェスト映像を閲覧しようとする状況であり、バー６１０に「ゆりこ成長記」という表題がついている。また、ダイジェスト映像見出しの表示によって、３歳の時の運動会や、６歳の卒園式、さらに１３歳の時のダンス会でのダイジェストが存在することがわかる。表題やダイジェストの表示の情報は、映像情報関連テーブルからテキストデータに変換してナビゲーション画面を生成する時に追加すればよい。
【００５１】
また、ダイジェストを再生している途中に、オリジナルの映像が観たい場合もあると思われる。その場合に備えて、別途オリジナルデータはＢＤやＤＶＤにアーカイブしておく。この状態でＵＳＢのＩＦ部２０９を経由して別途オリジナルのデータを記録したＢＤ／ＤＶＤをＢＤ／ＤＶＤドライブ２１０にセットしておいて、ダイジェストの再生に関係するオリジナル映像の再生が可能になるようにしてもよい。具体的には、図６のナビゲシーョン画面を利用したダイジェスト映像の再生が終了したら、そのシーンのオリジナルのシーンをアーカイブされたＢＤ／ＤＶＤから選択して再生できるようにすればよい。特にリンクの手法にはこだわらないが、ダイジェスト映像とオリジナルのシーンとの間にリンクするような管理データを生成しておければ実現が可能である。
【００５２】
次に、ＨＤＤ２２０の容量が一杯になった場合についてのサポート機能について説明する。
【００５３】
ＴＶ番組がＨＤＤ２２０の容量を圧迫してきて、ダイジェスト用の容量がなくなってきた場合には、さらなるダイジェスト化を促したり、ＴＶ番組自体のダイジェストを生成するように促したり、ｉＶＤＲカートリッジ２２１やＢＤ／ＤＶＤドライブ４１３にセットされた光ディスクにデータをコピーするように促す注意を表示させたりしても便利である。ここでいうダイジェストは、特にこだわらないが、例えば、単純に映像を間引いたり、再圧縮したりすることを想定している。
【００５４】
このときには、図７に示すように、ユーザに注意を促し、ユーザに対して、データをダイジェスト化したり、ｉＶＤＲカートリッジ２２１やＢＤ／ＤＶＤドライブ４１３にセットされたＢＤ／ＤＶＤにバックアップさせるようにすることができる。
【００５５】
上記説明したように、ビデオカメラで撮影した映像データをＨＤＤ付きＴＶ４１０のＨＤＤにアーカイブし、クレドール装置４００とＨＤＤ付きＴＶ４１０で自動で成長記などのダイジェスト映像を作成・編集することにより、撮影した映像を手軽に楽しむことができる。
【００５６】
これをより具体的に、ユーザの立場から説明すると、以下のようになる。
【００５７】
ＨＤＤ付きＴＶ４１０のＨＤＤ２２０内にビデオカメラの映像が存在すれば、ユーザは、比較的容易に昔撮った映像にアクセスすることが可能となる。さらに、ＴＶで録画した番組と同じように、ＴＶのボタン１つでビデオカメラの映像が選択できればせっかく撮影した映像を観る機会が増え、撮影した映像がむだにならず、いつでも楽しむことができる。また、ユーザはＴＶのＨＤＤにアーカイブしておくことにより、いつまでも昔の映像を楽しむことが可能となる。実際には、媒体の容量の問題もあるので、自動で、ダイジェスト映像（顔、音声、物体認識を応用したり、時間で区切ったりして作成する）を作ったり、必要に応じてＴＶ側からダイジェスト映像の作成を促してもよい。本実施形態のように、子どもの映像などは、毎年毎年溜まったものから成長記録などを作っても楽しい。また、結婚式の映像なども一度しか観ないことが多いと思うが、その後の家族旅行や、子どもの映像などを利用することにより、その家の成長記のようなものを常に作成しつづけ、観る方を飽きさせないことも可能である。上記の方法であれば、撮影のたびに毎回映像が追加されていくので、いつまでも飽きずに観る楽しみも増えるはずである。
【符号の説明】
【００５８】
１００…操作入力部
１０１…ＣＰＵ
１０２…カメラＩＦ
１０３…映像データ管理部
１０４…映像情報管理部
１０５…メモリ
１０６…転送管理部
１０７…転送用ＩＦ部
２００…操作入力部
２０１…ＣＰＵ
２０２…転送用ＩＦ
２０３…ＡＶＣＯＤＥＣ部
２０４…データ編集部
２０５…メモリ
２０６…映像音声出力部
２０７…チューナー部
２０８…ＯＳＤ表示部
２０９…ＵＳＢＩＦ
２１０…ＢＤ／ＤＶＤドライブ
２２０…ＨＤＤ
２２１…ｉＶＤＲカートリッジ
３００…データ判別部
３０１…映像情報解析部
３０２…認識処理部
３０３…メモリ
３１０…ダイジェスト映像生成部
３２０…残量管理部
４００…ビデオカメラ
４０１…クレードル装置
４０２…データ取り込みボタン
４０３…転送ボタン
４１０…ＨＤＤ付きＴＶ
４１１…内容ＨＤＤ
４１２…ｉＶＤＲ
４１３…ＢＤ／ＤＶＤドライブ
５００、６００…ナビ画面
５０１、６０１…ＨＤＤタブ
５０２、６０２…ｉＶＤＲタブ
５１０、６１０…表示バー
５２０、６２０…選択状態
５２１…番組見出し、
６２１〜６２３…ダイジェスト映像見出し
７００…警告ダイアローグ。
【図１】
2010206624.tif 000003
【図２】
2010206624.tif 000004
【図３】
2010206624.tif 000005
【図４】
2010206624.tif 000006
【図５】
2010206624.tif 000007
【図６】
2010206624.tif 000008
【図７】
2010206624.tif 000009
【図８】
2010206624.tif 000010
【図９】
2010206624.tif 000011